(57)【要約】      （修正有）【課題】マルチセグメント組立式ナイフツール構造に関する。【解決手段】構造の配置を応用して伝統的な一体式のナイフツールをナイフツール・ベース１０とナイフツール部２０などの２部分となるように切り分け、且つその間に一つの接続座３０を各鍵穴１３を介して一つの錠止部９０を外向きに穿入して選択的に橋絡でき、或いは長さの変更に対応して複数個の接続座３０を連結できることにより、使用需要の増減につれて該接続座３０が全体の長さを変更できる機能を、提供する。【選択図】図２
2016078144.tif 000002
【特許請求の範囲】
【請求項１】
マルチセグメント組立式ナイフツール構造は、一つのナイフツール・ベースと一つのナイフツール部を含んでなるが、該ナイフツール・ベースが、一つの後端に一つの組立部を対応的に設け、一つの多機能加工マシンのナイフツール組立槽の内に対応的に接続・固定でき、且つ該ナイフツール・ベースの一つの前端箇所に一つの接合槽を内向きに凹入して設け、更に該接合槽の少なくとも一側の壁面の上に、少なくとも一つの鍵穴を貫通して設け、該鍵穴を該組立槽に連通するが、該ナイフツール部が、一つの前端に一つの加工カッター部を設け、且つ該ナイフツール部の後端箇所に一つの第１の接続延伸段を延伸して設け、該第１の接続延伸段の外形が該接合槽に合わせ且つ該接合槽の内に選択的に対応して穿設でき、その後に該ナイフツール部の後端を該ナイフツール・ベースの前端に当接させ、ひいては該各鍵穴を介して一つの錠止部を外向きに穿入して該第１の接続延伸段に当接して固定できることを特徴とする、マルチセグメント組立式ナイフツール構造。
【請求項２】
該マルチセグメント組立式ナイフツール構造は、ひいては少なくとも一つの接続座を含んでなり、一つの後端に一つの第２の接続延伸段を延伸して設け、該接合槽の内に選択的に対応して穿設でき、その他に該接続座が一つの前端箇所に一つの固定接合槽を凹入して設け、該固定接合槽の外形が該第１の接続延伸段と該第２の接続延伸段に対応し、且つ該固定接合槽の少なくとも一側の壁面の上に、少なくとも一つの連結鍵穴をそれぞれ貫通して設け、ひいては該固定接合槽が該第１の接続延伸段または他の接続座の該第２の接続延伸段の上に対応的に嵌設する時に、該連結鍵穴から該錠止部を介して固定できることを特徴とする、請求項１に記載のマルチセグメント組立式ナイフツール構造。
【請求項３】
該接合槽が一つの環形槽体であることを特徴とする、請求項２に記載のマルチセグメント組立式ナイフツール構造。
【請求項４】
該鍵穴が螺穴で、且つ該錠止部が螺錠部であることを特徴とする、請求項２に記載のマルチセグメント組立式ナイフツール構造。
【請求項５】
該第１の接続延伸段の外形が該接合槽にマッチングすることを特徴とする、請求項２に記載のマルチセグメント組立式ナイフツール構造。
【請求項６】
該第２の接続延伸段の外形が該接合槽にマッチングすることを特徴とする、請求項２に記載のマルチセグメント組立式ナイフツール構造。
【請求項７】
該固定接合槽の外形が該第１の接続延伸段にマッチングすることを特徴とする、請求項２に記載のマルチセグメント組立式ナイフツール構造。
【請求項８】
該固定接合槽の外形が該第２の接続延伸段にマッチングすることを特徴とする、請求項１に記載のマルチセグメント組立式ナイフツール構造。
【発明の詳細な説明】
【技術分野】
【０００１】
本発明は、マルチセグメント組立式ナイフツール構造に関するもので、特に組立を介して長さを決定できる加工ナイフツールを、指す。
【背景技術】
【０００２】
工業加工技術の進歩につれて、自動化の多機能加工マシン（例えばCNC旋盤）を応用して品物に対し、例えば切削・穴あけ等の加工動作を行うことにより、伝統的な人力制御マシンを交替して加工を行うのは、次第に普及する加工様態で、そして各種の加工動作の需要に対応して各規格および各種の寸法のナイフツールを選択的に切替できるのは、自動化の多機能加工マシンの特性である。
【０００３】
然しながら、従来の多機能加工マシンが使用するナイフツールは、構造上に大半が一つの組立部と一つのナイフツール・ヘッドを含んでなり、その主な構成が一体式の構造で、ひいては組立部により該加工マシンのナイフツール組立槽の内に接合し、そして外に延伸するナイフツール・ヘッドが品物に対して加工動作を行ってもよいが、但し、ナイフツールが単一個体の形式であるので、ナイフツールの長さが固定で、そしてこのようにしたら、同じナイフツール・ヘッドにより異なる長さの刃身に対して品物の加工を行うことを期待する時に、例えばボーリング・カッターの長さを延伸して比較的深い穴度の切削加工作業を実行しようとする時に、必然的に異なる長さのナイフツール部だけを購買しかできなく、そしてナイフツール・ワークの値段がいつも非常に高くなり、このようにしたら、勿論製造コストに対し、負担となる。
【０００４】
故に上記を総合し、本発明の発明者は、或る種類のマルチセグメント組立式ナイフツール構造を考量かつ設計することにより、既存技術の欠点に対してより改善し、ひいては産業上の実施・利用を増進することを、期待する。
【発明の概要】
【発明が解決しようとする課題】
【０００５】
前述の既存技術の不足点に鑑み、本発明は、新規性、進歩性と産業上の利用可能性などの特許要件を具備するマルチセグメント組立式ナイフツール構造を、設計することにより、既存技術の困難点を克服することを、期待する。
【課題を解決するための手段】
【０００６】
前述の目的を達成するために、本発明の採用する技術手段は、或る種類のマルチセグメント組立式ナイフツール構造を設計するが、それが一つのナイフツール・ベースと一つのナイフツール部を含んでなり、該ナイフツール・ベースが、一つの後端に一つの組立部を対応的に設け、一つの多機能加工マシンのナイフツール組立槽の内に対応的に接続・固定でき、且つ該ナイフツール・ベースの一つの前端箇所に一つの接合槽を内向きに凹入して設け、更に該接合槽の少なくとも一側の壁面の上に、少なくとも一つの鍵穴を貫通して設け、該鍵穴を該組立槽に連通するが、該ナイフツール部が、一つの前端に一つの加工カッター部を設け、且つ該ナイフツール部の後端箇所に一つの第１の接続延伸段を延伸して設け、該第１の接続延伸段の外形が該接合槽に合わせ且つ該接合槽の内に選択的に対応して穿設でき、その後に該ナイフツール部の後端を該ナイフツール・ベースの前端に当接させ、ひいては該各鍵穴を介して一つの錠止部を外向きに穿入して該第１の接続延伸段に当接して固定できる。
【０００７】
その中でも、該マルチセグメント組立式ナイフツール構造は、ひいては少なくとも一つの接続座を含んでなり、一つの後端に一つの第２の接続延伸段を延伸して設け、該接合槽の内に選択的に対応して穿設でき、その他に該接続座が一つの前端箇所に一つの固定接合槽を凹入して設け、該固定接合槽の外形が該第１の接続延伸段と該第２の接続延伸段に対応し、且つ該固定接合槽の少なくとも一側の壁面の上に、少なくとも一つの連結鍵穴をそれぞれ貫通して設け、ひいては該固定接合槽が該第１の接続延伸段または他の接続座の該第２の接続延伸段の上に対応的に嵌設する時に、該連結鍵穴から該錠止部を介して固定できる。
【０００８】
その中でも、該接合槽が一つの環形槽体である。
【０００９】
その中でも、該鍵穴が螺穴で、且つ該錠止部が螺錠部である。
【００１０】
その中でも、該第１の接続延伸段の外形が該接合槽にマッチングする。
【００１１】
その中でも、該第２の接続延伸段の外形が該接合槽にマッチングする。
【００１２】
その中でも、該固定接合槽の外形が該第１の接続延伸段にマッチングする。
【００１３】
その中でも、該固定接合槽の外形が該第２の接続延伸段にマッチングする。
【発明の効果】
【００１４】
本発明のマルチセグメント組立式ナイフツール構造は、設計上では、構造の配置を応用して伝統的な一体式のナイフツールをナイフツール・ベースとナイフツール部などの２部分となるように切り分け、且つその間に一つの接続座を選択的に橋絡でき、或いは長さの変更に対応して複数個の接続座を連結できることにより、使用需要の増減につれて該接続座の全体の長さを変更できる機能を、提供するが、そして従来の技術中では、異なる長さのナイフツールを使用するために、それぞれ購買・放置する必要があることにより、コストの負担が重過ぎる問題を招くことを、免除できるが、そしてその中でも、該ナイフツール・ベース、ナイフツール部と該接続座が接続する間に、壁面間を介してマッチングして接触し、ひいては組立後に揺れ止めの安定効果を更に達成できることにより、ナイフツールが切削する時に、非予期の揺動などの現象を招くことを、避ける。
【図面の簡単な説明】
【００１５】
【図１】本発明のマルチセグメント組立式ナイフツール構造の実施構造の模式図である。
【図２】本発明のマルチセグメント組立式ナイフツール構造の実施構造の模式図である。
【図３】本発明のマルチセグメント組立式ナイフツール構造の実施構造の模式図である。
【発明を実施するための形態】
【００１６】
前述の目的、技術の特徴および実際の実施後の増益率をより著しく分かりやすくなるために、下記の叙述中に、より好ましい実施例により、対応・関連する図面を補助し、比較的詳細な説明を行う。
【００１７】
審査官が本発明の発明特徴、内容、利点およびその達成できる効果を了解するように寄与するために、本発明が添付の図面に合わせ、且つ実施例の表現形式により下記のように詳細な説明を行うが、そしてその中でも、使用される図面において、その趣旨が明細書だけを模式かつ補助するために用いられ、本発明の実施後の真実の比例および正確な配置であるとは限らないが、従って添付の図面の比例および配置関係により、本発明の実際な実施上における権利・範囲を解明・限定すべきではない。
【００１８】
本発明の利点、特長および達成できる技術方法は、例示する実施例および添付する図面を参照して比較的詳細な叙述を行ってより理解しやすくなり、且つ或いは本発明が異なる形式により実現できるが、従ってここに陳述された実施例のみにより限定されないと理解すべきで、逆に所属する技術分野に対して通常の知識を有する者にとって、提供された実施例により、本発明の範疇をより明らかに掲示し、更に全面かつ完備に伝達し、且つ本発明が、添付する特許請求の範囲のみにより定義される。
【００１９】
そして他の定義がない限り、後文に使用された全ての用語（技術および科学用語を含む）と専門用語は、実質的に本発明の所属する該分野の技術者が一般に理解できる意味と同じであるが、そして例えば一般に使用する辞書により定義される、それらの用語は、関連する分野の内容に合致する意味を有すると理解すべきで、且つ著しく後文に定義されない限り、過度に理想化し或いは過度に正式化した意味により理解できなく、先に合わせて明らかに陳述する。
【００２０】
図１ないし図３を対応的に参照して示すように、本発明の提供するマルチセグメント組立式ナイフツール構造は、より好ましい実施方式において、一つのナイフツール・ベース１０、一つのナイフツール部２０と少なくとも一つの接続座３０を含んでもよい。
【００２１】
前述のナイフツール・ベース１０が、一つの後端に一つの組立部１１を対応的に設け、一つの多機能加工マシンのナイフツール組立槽の内に対応的に接続・固定でき、且つ該ナイフツール・ベース１０の一つの前端箇所に一つの接合槽１２を内向きに凹入して設け、或いは該接合槽１２が一つの環形槽体であってもよく、且つ該接合槽１２の少なくとも一側の壁面の上に、少なくとも一つの鍵穴１３を貫通して設け、或いは該鍵穴１３が螺穴であってもよく、該鍵穴１３を該組立槽１２に連通する。
【００２２】
前述のナイフツール部２０が、一つの前端に一つの加工カッター部２１を設け、該ナイフツール部２０の後端箇所に一つの第１の接続延伸段２２を延伸して設け、該第１の接続延伸段２２の外形が該接合槽１２に合わせ且つ該接合槽１２の内に選択的に対応して穿設でき、その後に該ナイフツール部２０の後端を該ナイフツール・ベース１０の前端に当接させ、ひいては該各鍵穴１３を介して一つの錠止部９０を外向きに穿入して該第１の接続延伸段２２に当接でき、且つ該第１の接続延伸段２２の外形が該接合槽１２にマッチングし、ひいては接合後に揺れ止めの安定特性を有し、そして或いは該錠止部９０が螺錠部であってもよい。
【００２３】
前述の接続座３０が一つの後端に一つの第２の接続延伸段３１を延伸して設け、該第２の接続延伸段３１の外形が該接合槽１２にマッチングし且つ該接合槽１２の内に選択的に対応して穿設でき、その他に該接続座３０が一つの前端箇所に一つの固定接合槽３２を凹入して設け、該固定接合槽３２の外形が該第１の接続延伸段２２と該第２の接続延伸段３１にマッチングし、且つ該固定接合槽３２の少なくとも一側の壁面の上に、少なくとも一つの連結鍵穴３３をそれぞれ貫通して設け、該連結鍵穴３３が螺穴で、ひいては該固定接合槽３２が該第１の接続延伸段２２または他の接続座３０の該第２の接続延伸段３１の上に対応的に嵌設できる時に、該連結鍵穴３３から錠止部９０を介して固定できる。
【００２４】
本発明のマルチセグメント組立式ナイフツール構造の設計上における巧みな構想・変更を介し、構造の配置を応用して伝統的な一体式のナイフツールをナイフツール・ベース１０とナイフツール部２０などの両段となるように切り分け、且つその間に一つの接続座３０を選択的に橋絡でき、或いは長さの変更に対応して複数個の接続座３０を更に連結できることにより、使用需要の増減につれて該接続座３０の全体の長さを変更できる機能を、提供するが、そして従来の技術中では、異なる長さのナイフツールを使用するために、それぞれ購買・放置する必要があることにより、コストの負担が重過ぎる問題を招くことを、免除できるが、そしてその中でも、該ナイフツール・ベース１０、ナイフツール部２０と該接続座３０が接続する間に、壁面間を介してマッチングして接触し、ひいては組立後に揺れ止めの安定効果を更に達成できることにより、ナイフツールが切削する時に、非予期の揺動などの現象を招くことを、避け、従来の技術により達成できないが、従ってその増益率の所在を見い出してもよい。
【００２５】
以上述べた実施例は、ただ本発明の技術思想および特長を説明するもので、その目的は、この技術に習熟する者が本発明の内容を了解し且つこれにより実施できるものであるが、これにより本発明の特許請求の範囲を限定するものではなく、即ち本発明の掲示する精神により出来た等価な変更または潤色が、いずれも依然として本発明の特許請求の範囲内に含まれるべきである。
【００２６】
上記を総合してみると、明らかに了解できるように、本発明が従来の技術を突破した技術下では、既に増進しようとする効果を確実に達成する。
【符号の説明】
【００２７】
１０  ナイフツール・ベース
１１  組立部
１２  接合槽
１３  鍵穴
２０  ナイフツール部
２１  加工カッター部
２２  第１の接続延伸段
３０  接続座
３１  第２の接続延伸段
３２  固定接合槽
３３  連結鍵穴
９０  錠止部
【図１】
2016078144.tif 000003
【図２】
2016078144.tif 000004
【図３】
2016078144.tif 000005